(57)【特許請求の範囲】
【請求項１】
光信号を送信する複数の第１の光送信部と、
光信号を受信する第１の光受信部と、
前記複数の第１の光送信部を制御する第１の制御部と、
を有する第１の送受信装置と、
前記複数の第１の光送信部からの光信号を受信する複数の第２の光受信部と、
前記第１の光受信部に光信号を送信する第２の光送信部と、
前記複数の第２の光受信部のいずれかが光信号を受信したとき、当該光信号の受信の応答として前記第２の光送信部から光信号を送信させる第２の制御部と、
を有する第２の送受信装置と、を備え、
前記第１の制御部は、前記複数の第１の光送信部のうちの一部の第１の光送信部から光信号を送信させるとともに、当該光信号の送信の応答として前記第１の光受信部が光信号を受信したとき、前記複数の第１の光送信部のうち前記一部の光送信部以外の他の第１の光送信部から光信号を送信させる段階を有し、
前記第１の制御部は、前記一部の第１の光送信部から光信号を送信させるとき、第１の光量で光信号を送信させるとともに、当該光信号の送信の応答として前記第１の光受信部が光信号を受信したとき、前記一部の第１の光送信部から前記第１の光量よりも光量が多い第２の光量で光信号を送信させるとともに、前記他の第１の光送信部から前記第１の光量で光信号を送信させ、
前記他の第１の光送信部から送信させた前記第１の光量の光信号の送信の応答として前記第１の光受信部が光信号を受信したとき、前記他の第１の光送信部から前記第１の光量よりも光量が多い前記第２の光量で光信号を送信させる光送受信システム。
【請求項２】
光信号を送信する複数の光送信部と、
光信号を受信する光受信部と、
前記複数の光送信部のうちの一部の光送信部から光信号を送信させるとともに、当該光信号の送信の応答として前記光受信部が光信号を受信したとき、前記複数の光送信部のうち前記一部の光送信部以外の他の光送信部から光信号を送信させる段階を有する制御手段と、を備え、
前記制御手段は、前記一部の光送信部から光信号を送信させるとき、第１の光量で光信号を送信させるとともに、当該光信号の送信の応答として前記光受信部が光信号を受信したとき、前記一部の光送信部から前記第１の光量よりも光量が多い第２の光量で光信号を送信させるとともに、前記他の光送信部から前記第１の光量で光信号を送信させ、
前記他の光送信部から送信させた前記第１の光量の光信号の送信の応答として前記光受信部が光信号を受信したとき、前記他の光送信部から前記第１の光量よりも光量が多い前記第２の光量で光信号を送信させる送受信装置。
【発明の詳細な説明】
【技術分野】
【０００１】
本発明は、光送受信システム及び送受信装置に関する。
【背景技術】
【０００２】
映像信号を再生装置で再生して遠方に位置する映像表示装置に伝送する場合、電線による電気信号では、伝送損失が大きく正確な映像を表示できないことから、再生した映像信号を光信号に変換して送信器から光ファイバを介して受信器に送信する信号伝送装置が提案されている（例えば、特許文献１参照。）。
【０００３】
また、光信号の発光部のレーザは、人体及び装置に潜在的に有害である強力な出力を発生し得ることから、光ファイバのリンクが損なわれた場合には、不活性すなわちパルス化したレーザを出力させ、リンクが正常に回復し、パルス化された戻り光を検出できた場合には、活性すなわちレーザを連続出力させる通信システムが提案されている（例えば、特許文献２参照。）。
【先行技術文献】
【特許文献】
【０００４】
【特許文献１】特開平２０１０−１６６５４６号公報
【特許文献２】特開平０３−２１２２６６号公報
【発明の概要】
【発明が解決しようとする課題】
【０００５】
本発明の目的は、複数の光送信部から光信号を複数の伝送路を介して相手装置に送信する構成において、伝送路の接続の有無に関係なく複数の光送信部を発光させる場合と比べて消費電力を抑制した光送受信システム及び送受信装置を提供することにある。
【課題を解決するための手段】
【０００６】
本発明は、以下の光送受信システム及び送受信装置を提供する。
【０００７】
［１］光信号を送信する複数の第１の光送信部と、
光信号を受信する第１の光受信部と、
前記複数の第１の光送信部を制御する第１の制御部と、
を有する第１の送受信装置と、
前記複数の第１の光送信部からの光信号を受信する複数の第２の光受信部と、
前記第１の光受信部に光信号を送信する第２の光送信部と、
前記複数の第２の光受信部のいずれかが光信号を受信したとき、当該光信号の受信の応答として前記第２の光送信部から光信号を送信させる第２の制御部と、
を有する第２の送受信装置と、を備え、
前記第１の制御部は、前記複数の第１の光送信部のうちの一部の第１の光送信部から光信号を送信させるとともに、当該光信号の送信の応答として前記第１の光受信部が光信号を受信したとき、前記複数の第１の光送信部のうち前記一部の光送信部以外の他の第１の光送信部から光信号を送信させる段階を有し、
前記第１の制御部は、前記一部の第１の光送信部から光信号を送信させるとき、第１の光量で光信号を送信させるとともに、当該光信号の送信の応答として前記第１の光受信部が光信号を受信したとき、前記一部の第１の光送信部から前記第１の光量よりも光量が多い第２の光量で光信号を送信させるとともに、前記他の第１の光送信部から前記第１の光量で光信号を送信させ、
前記他の第１の光送信部から送信させた前記第１の光量の光信号の送信の応答として前記第１の光受信部が光信号を受信したとき、前記他の第１の光送信部から前記第１の光量よりも光量が多い前記第２の光量で光信号を送信させる光送受信システム。
【０００９】
［２］光信号を送信する複数の光送信部と、
光信号を受信する光受信部と、
前記複数の光送信部のうちの一部の光送信部から光信号を送信させるとともに、当該光信号の送信の応答として前記光受信部が光信号を受信したとき、前記複数の光送信部のうち前記一部の光送信部以外の他の光送信部から光信号を送信させる段階を有する制御手段と、を備え、
前記制御手段は、前記一部の光送信部から光信号を送信させるとき、第１の光量で光信号を送信させるとともに、当該光信号の送信の応答として前記光受信部が光信号を受信したとき、前記一部の光送信部から前記第１の光量よりも光量が多い第２の光量で光信号を送信させるとともに、前記他の光送信部から前記第１の光量で光信号を送信させ、
前記他の光送信部から送信させた前記第１の光量の光信号の送信の応答として前記光受信部が光信号を受信したとき、前記他の光送信部から前記第１の光量よりも光量が多い前記第２の光量で光信号を送信させる送受信装置。
【発明の効果】
【００１０】
請求項１及び２に係る発明によれば、複数の光送信部から光信号を複数の伝送路を介して相手装置に送信する構成において、伝送路の接続の有無に関係なく複数の光送信部を発
光させる場合と比べて消費電力を抑制することができるとともに、高出力で光信号を出力することができる。
【図面の簡単な説明】
【００１１】
【図１】図１は、本発明の第１の実施の形態に係る光送受信システムの構成を示すブロック図である。
【図２】図２（ａ）は、第１の実施の形態に係る第１の制御部の機能を説明するための図、図２（ｂ）は、第１の実施の形態に係るレーザ駆動信号と光信号の出力例を示す図である。
【図３】図３は、本発明の第２の実施の形態に係る光送受信システムの構成を示すブロック図である。
【図４】図４は、第２の実施の形態に係る第１及び第２の送受信装置の構成を示すブロック図である。
【図５】図５は、第２の実施の形態に係る第１及び第２の送受信装置間におけるリンク確立の全体フローを示す図である。
【図６】図６は、第２の実施の形態に係る第１及び第２の送受信装置間における制御系データのリンク確立に関するフローを示す図である。
【図７】図７は、第２の実施の形態に係る第１及び第２の送受信装置間における映像系データのリンク確立に関するフローを示す図である。
【図８】図８は、本発明の第３の実施の形態に係る第１及び第２の送受信装置間における制御系データのリンク確立に関するフローを示す図である。
【図９】図９は、本発明の第３の実施の形態に係る第１及び第２の送受信装置間における映像系データのリンク確立に関するフローを示す図である。
【図１０】図１０は、本発明の第４の実施の形態に係る光送受信システムの構成を示すブロック図である。
【発明を実施するための形態】
【００１２】
以下、本発明の実施の形態について図面を参照して説明する。なお、各図中、実質的に同一の機能を有する構成要素については、同一の符号を付してその重複した説明を省略する。
【００１３】
［第１の実施の形態］
図１は、本発明の第１の実施の形態に係る光送受信システムの構成を示すブロック図である。この光送受信システム１は、第１の送受信装置２と、第１の送受信装置２に複数の光伝送媒体３を介して接続された第２の送受信装置４とを備えて概略構成されている。
【００１４】
第１の送受信装置２は、光信号を送信する複数の第１の光送信部２１ａ〜２１ｄと、光信号を受信する第１の光受信部２２と、複数の第１の光送信部２１ａ〜２１ｄを制御する第１の制御部２３とを備える。
【００１５】
光伝送媒体３は、本実施の形態では光ファイバであるが、複数のコアをクラッドで覆ったシート状光伝送媒体等の光伝送媒体でもよい。
【００１６】
第２の送受信装置４は、複数の第１の光送信部２１ａ〜２１ｄからの光信号を受信する複数の第２の光受信部４１ａ〜４１ｄと、第１の光受信部２２に光信号を送信する第２の光送信部４２と、第２の光送信部４２を制御する第２の制御部４３とを備える。
【００１７】
（第１の送受信装置の各部の構成）
第１の光送信部２１ａ〜２１ｄは、発光部２１０と、発光部２１０を駆動する駆動部２１１とを備える。発光部２１０は、例えばレーザダイオード（ＬＤ）である。駆動部２１１は、例えばＬＤに駆動電流を供給してＬＤを駆動するＬＤドライバである。
【００１８】
第１の光受信部２２は、受光部２２０と、増幅部２２１とを備える。受光部２２０は、例えばフォトダイオード（ＰＤ）である。増幅部２２１は、ＰＤの出力信号を必要な信号レベルに増幅する。第１の光受信部２２は、本実施の形態では１つであるが、２つ以上でもよい。
【００１９】
第１の制御部２３は、複数の第１の光送信部２１ａ〜２１ｄのうちの一部の第１の光送信部、例えば第１の光送信部２１ｄから光信号を送信させるとともに、当該光信号の送信の応答として第１の光受信部２２が光信号を受信したとき、一部の第１の光送信部２１ｄ以外の他の第１の光送信部２１ａ〜２１ｃから光信号を送信させる。第１の光送信部２１ｄから光信号を送信させるタイミングとしては、例えば、第１の送受信装置２の電源オンに同期して送信させてもよい。また、一部の第１の光送信部から光信号を送信させるとき、１つの第１の光送信部に限られず、２つ以上の第１の光送信部から光信号を送信させてもよい。
【００２０】
第１の制御部２３の上記制御をより具体的に説明する。第１の制御部２３は、一部の第１の光送信部、すなわち第１の光送信部２１ｄから光信号を送信させるとき、第１の光量で光信号を送信させるとともに、当該光信号の送信の応答として第１の光受信部２２が光信号を受信したとき、第１の光送信部２１ｄから第１の光量よりも光量が多い第２の光量で光信号を送信させるとともに、一部以外の他の第１の光送信部、すなわち第１の光送信部２１ａ〜２１ｃから第１の光量で光信号を送信させ、それらの第１の光送信部２１ａ〜２１ｃから送信させた第１の光量の光信号の送信の応答として第１の光受信部２２が光信号を受信したとき、第１の光送信部２１ａ〜２１ｃから第１の光量よりも光量が多い第２の光量で光信号を送信させる。なお、第１の光送信部２１ｄにおける第１の光量と、第１の光送信部２１ａ〜２１ｃにおける第１の光量とは完全に一致した光量である必要はなく、第１の光送信部２１ｄにおける第２の光量と、第１の光送信部２１ａ〜２１ｃにおける第２の光量よりも低い光量であれば、その光量に差があってもよい。また、第１の光量は光伝送媒体３が送受信装置２、４から外れた状態においても人体への安全が確保された光量、例えば、安全規格を満たす光量範囲の光量であることが好ましい。
【００２１】
（第２の送受信装置の各部の構成）
第２の光受信部４１ａ〜４１ｄは、受光部４１０と、増幅部４１１とを備える。受光部４１０は、例えばフォトダイオード（ＰＤ）である。増幅部４１１は、ＰＤの出力信号を必要な信号レベルに増幅する。
【００２２】
第２の光送信部４２は、発光部４２０と、駆動部４２１とを備える。発光部４２０は、例えばレーザダイオード（ＬＤ）である。駆動部４２１は、例えばＬＤに駆動電流を供給してＬＤを駆動するＬＤドライバである。
【００２３】
第２の制御部４３は、第１の光送信部２１ｄに対応する第２の光受信部４１ｄが光信号を受信したとき、当該光信号の受信の応答として第２の光送信部４２から光信号を送信させる。
【００２４】
図２（ａ）は、第１の実施の形態に係る第１の制御部の機能を説明するための図、図２（ｂ）は、第１の実施の形態に係るレーザ駆動信号と光信号の出力例を示す図である。
【００２５】
第１の制御部２３は、制御系データＤｃ、映像系データＤｉ、及び駆動部２１１のデータ出力を制御するデータ出力制御信号Ｓｐを生成する。ここで、制御系データＤｃは第１の光送信部２１ｄに出力され、映像系データＤｉは第１の光送信部２１ａ〜２１ｃに出力され、データ出力制御信号Ｓｐは第１の光送信部２１ａ〜２１ｄに出力されるデータであり、データ出力制御信号Ｓｐのパルス周期は制御系データＤｃ及び映像系データＤｉのパルス周期に比べ長く設定されている。第１の光送信部２１ｄの駆動部２１１は、データ出力制御信号Ｓｐがロー（Ｌｏｗ）のとき、制御系データＤｃを発光部２１０に伝送させ、データ出力制御信号Ｓｐがハイ（Ｈｉ）のとき、制御系データＤｃを発光部２１０に伝送させないように制御するレーザ駆動信号Ｓｄを生成する。第１の光送信部２１ａ〜２１ｃの各駆動部２１１は、データ出力制御信号Ｓｐがロー（Ｌｏｗ）のとき、映像系データＤｉを発光部２１０に伝送させ、データ出力制御信号Ｓｐがハイ（Ｈｉ）のとき、映像系データＤｉを発光部２１０に伝送させないように制御するレーザ駆動信号Ｓｄを生成する。そして、第１の光送信部２１ａ〜２１ｄの各駆動部２１１の発光部２１０は、レーザ駆動信号Ｓｄに同期した光信号ＳＬを出力する。
【００２６】
レーザの安全性を考慮し、第１の送受信装置２の電源がオンされた光伝送媒体３が第２の送受信装置４側で接続されているかどうか不明の場合、第1の制御部２３は間欠的なデータ出力制御信号Ｓｐを生成し、レーザを間欠的に発光させてレーザ光量を低光量にし、光伝送媒体３が第１の送受信装置２及び第１の送受信装置４の両方に接続されていることが確認できた場合には、第1の制御部２３はデータ出力制御信号Ｓｐをロー（Ｌｏｗ）に維持し、駆動部２１１はレーザを定常的に発光させてレーザ光量を上げる制御を行っている。ここで、「光量」は平均光量を意味しており、本実施の形態では、ピークを変えずに単位時間当たりの制御系データＤｃまたは映像系データＤｉのパルス数を制御することで平均光量を制御しているが、単位時間当たりのパルス数を変えずにピークを変更する制御であってもよく、また、両者を組み合わせた制御であってもよい。図２（ｂ）に示す場合は、発光周期Ｔｒが３ｍｓ、発光期間Ｔｏｎが２ｍｓ、未発光期間Ｔｏｆｆが１ｍｓである。発光期間Ｔｏｎにおけるレーザ駆動信号Ｓｄは、制御系データＤｃ又は映像系データＤｉに対応したパルス信号であり、その周期ｔｒは３１．２５ｎｓとなっている。「発光期間」は、パルスにより点灯している状態の期間をいい、「未発光期間」は、パルスにより点灯していない状態の期間をいう。「間欠的に発光」とは、発光期間と未発光期間が交互に存在して発光することをいう。
【００２７】
（第１の実施の形態の効果）
第１の実施の形態によれば、以下の効果を奏する。
（１）第１の送受信装置２の複数の第１の光送信部２１ａ〜２１ｄのうち一部の第１の光送信部２１ｄから光信号を送信することで、光伝送媒体３の接続の有無に関係なくすべての第１の光送信部２１ａ〜２１ｄから光信号を送信する場合と比べて消費電力が抑制される。
（２）第１の送受信装置２から間欠的に発光する光信号を送信し、第２の送受信装置４からそれに対する応答があってはじめて連続的に発光する光信号を送信することで、光伝送媒体３の接続の有無に関係なく高出力のレーザを連続的に出力する場合と比べて安全性が高まる。
【００２８】
［第２の実施の形態］
図３は、本発明の第２の実施の形態に係る光送受信システムの構成を示すブロック図である。この光送受信システム１は、第１の実施の形態に対応する、第１の送受信装置２、複数の光伝送媒体３及び第２の送受信装置４を有し、さらに第１の送受信装置２に接続された再生装置５と、第２の送受信装置４に接続された映像表示装置６とを備えて概略構成されている。なお、図３では、映像系データは再生装置５から映像表示装置６への一方向で伝送され、制御系データは再生装置５と映像表示装置６との間の双方向で伝送されるように構成されている。
【００２９】
再生装置５は、ＤＶＤ（Digital Versatile Disc）、BlueRayDisc（登録商標）等の記録媒体から映像を再生するものである。なお、再生する情報は映像に限られず、静止画像や音声のみ、又は映像若しくは静止画像と音声の両方でもよい。本実施の形態の再生装置５は、映像系データとして、例えば赤（Ｒ）、緑（Ｇ）、青（Ｂ）のデジタル映像信号及びクロック信号（ＣＬＫ）を出力し、制御系データとして、例えばDDC_SCL（Display Data Channel用のSerial Clock）信号、DDC_SDA（Display Data Channel用のSerial Data）信号等の映像表示装置６とデータ通信するためのＤＤＣ信号を第１の送受信装置２に出力する。
【００３０】
映像表示装置６は、第２の送受信装置４から出力された映像系データを制御系データに基づいて表示画面に表示する。
【００３１】
図４は、第２の実施の形態に係る第１及び第２の送受信装置の構成を示すブロック図である。
【００３２】
第１の送受信装置２は、データ入出力制御部２４と、パケット制御部２５と、リンク制御部２６と、映像系データに対応して設けられた複数の第１の光送信部２１ａ〜２１ｄ、及びパラレル／シリアル（パラシリ）変換部２７ａ〜２７ｄと、制御系データに対応して設けられた第１の光送信部２１ｅ、第１の光受信部２２、パラレル／シリアル（パラシリ）変換部２７ｅ及びシリアル／パラレル（シリパラ）変換部２８とを備える。
【００３３】
第２の送受信装置４は、映像系データに対応して設けられた複数の第２の光送信部４１ａ〜４１ｄ及び複数のシリアル／パラレル（シリパラ）変換部４４ａ〜４４ｄと、制御系データに対応して設けられた第２の光受信部４１ｅ、第２の光送信部４２、シリアル／パラレル（シリパラ）変換部４４ｅ及びパラレル／シリアル（パラシリ）変換部４５と、リンク制御部４６と、パケット制御部４７と、データ入出力制御部４８とを備える。
【００３４】
（第１の送受信装置の各部の構成）
第１の光送信部２１ａ〜２１ｅは、第１の実施の形態の第１の光送信部２１ａ〜２１ｄと同様に構成されている。
【００３５】
データ入出力制御部２４は、再生装置５との間でデータの授受を行う。
【００３６】
パケット制御部２５は、再生装置５から映像表示装置６に向かうデータの方向（ＤＳ方向）については、シリアルデータ転送を行うためのデータのパケット化を行い、映像表示装置６から再生装置５に向かうデータの方向（ＵＳ方向）については、パケットデータからのデータの抽出を行う。
【００３７】
リンク制御部２６は、第１及び第２の送受信装置２、４間においてシリアル伝送を行う際のリンク制御を行うものであり、第１の実施の形態の第１の制御部２３と同様に、第１の光送信部２１ａ〜２１ｅに対する発光制御を行う。
【００３８】
パラシリ変換部２７ａ〜２７ｅは、パラレルデータをシリアルデータに変換するとともに、８ビットから１０ビットに変換する８Ｂ１０Ｂ変換を行うものである。シリパラ変換部２８は、シリアルデータをパラレルデータに変換するとともに、１０ビットから８ビットに変換する８Ｂ１０Ｂ逆変換を行うものである。この８Ｂ１０Ｂ変換は、伝送データが適度に０と１が含まれるようにＤＣバランス調整を行うものであり、８Ｂ１０Ｂとして知れらる方式では、８ビットごとのデータの塊をあらかじめ決められた０と１の割合が５０％に近い１０ビットのデータに変換することによってＤＣバランスを調整している。
【００３９】
データ入出力制御部２４、パケット制御部２５、リンク制御部２６、パラシリ変換部２７ａ〜２７ｅ及びシリパラ変換部２８は、それぞれ一部又は全部を再構成可能回路（ＦＰＧＡ：Field Programmable Gate Array)、特定用途向け集積回路（ＡＳＩＣ：Application Specific Integrated Circuit）、専用ＬＳＩ(Large Scale Integration)等のハードウエア回路によって構成してもよい。
【００４０】
（第２の送受信装置の各部の構成）
第２の光受信部４１ａ〜４１ｅは、第１の実施の形態の第２の光受信部４１ａ〜４１ｄと同様に構成されている。
【００４１】
パラシリ変換部４５は、パラレルデータをシリアルデータに変換するものである。シリパラ変換部４４ａ〜４４ｅは、シリアルデータをパラレルデータに変換するものである。
【００４２】
リンク制御部４６は、第１及び第２の送受信装置２、４間においてシリアル伝送を行う際のリンク制御を行うものであり、第１の実施の形態の第２の制御部４３と同様に、第２の光送信部４２に対する発光制御を行う。
【００４３】
パケット制御部４７は、ＤＳ方向については、パケットデータからのデータの抽出を行い、ＵＳ方向については、シリアルデータ転送を行うためのデータのパケット化を行う。
【００４４】
データ入出力制御部４８は、映像表示装置６との間でデータの授受を行う。
【００４５】
リンク制御部４６、パケット制御部４７、データ入出力制御部４８、パラシリ変換部４５及びシリパラ変換部４４ａ〜４４ｅは、それぞれ一部又は全部をＦＰＧＡ、ＡＳＩＣ、専用ＬＳＩ等のハードウエア回路によって構成してもよい。
【００４６】
（第２の実施の形態の動作）
図５は、第２の実施の形態に係る第１及び第２の送受信装置間におけるリンク確立の全体フローを示す図である。
【００４７】
まず、制御系データの下り（ＤＳ）方向及び上り（ＵＳ）方向のリンクを確立させる（Ｓ１）。制御系データのＤＳ方向及びＵＳ方向のリンクが確立すると（Ｓ１：Ｙｅｓ）、映像系データのＤＳ方向のすべてのリンクを確立させる（Ｓ２：Ｙｅｓ）。この場合、制御系データのＤＳ方向及びＵＳ方向のリンクが保持されていることを確認しつつ（Ｓ３：Ｙｅｓ）、映像系データのＤＳのリンクを確立させる（Ｓ２）。
【００４８】
映像系データのＤＳのすべてのリンクが確立すると（Ｓ２：Ｙｅｓ）、映像系データのＤＳ方向のすべてのリンクが保持されていることを確認し（Ｓ４：Ｙｅｓ）、制御系データのＤＳ方向及びＵＳ方向のリンクが保持されているか否かを判断する（Ｓ６）。上記ステップＳ４において、映像系データのＤＳ方向の一部のリンクが保持されていない場合は（Ｓ４：Ｎｏ）、制御系データのＤＳ方向及びＵＳ方向のリンクを保持していることを確認し（Ｓ５：Ｙｅｓ）、上記ステップＳ２に戻る。
【００４９】
上記ステップＳ３、Ｓ４の制御系データのＤＳ／ＵＳ方向のリンクが保持されずに切れる場合は、以下の要因が考えられる。
（ａ）受信側にて光が検出されなくなった場合
（ｂ）受信側にてシリアル／パラレル変換時にエラーが生じた場合（例えば８Ｂ１０Ｂエラーやバイトアライメントエラーなど）
上記ステップＳ４の映像系データのＤＳ方向のリンクが保持されずに切れる場合も上記（ａ）、（ｂ）と同様の要因が考えられる。
【００５０】
（制御系データのフロー）
図６は、第２の実施の形態に係る第１及び第２の送受信装置間における制御系データのリンク確立に関するフローを示す図である。なお、図６中、（Ａ）、（Ｂ）、（Ｃ）は、それぞれ異なるデータを意味している。本実施の形態では、８Ｂ１０ＢのＫキャラクターを変えている。（Ａ）はＫ２８．５、（Ｂ）はＫ２８．６、（Ｃ）はＫ２８．０である。図７中の（Ａ）、（Ｂ）も図６と同様である。
【００５１】
第１の送受信装置２の電源が投入されると、リンク制御部２６は、制御系データのＤＳ方向に対して定常的な発光を指示する。制御系データ用の第１の光送信部２１ｅは、定常的に発光する光信号を第２の送受信装置４に送信する。
【００５２】
第２の送受信装置４の電源が投入され、第２の光受信部４１ｅが光を検出すると、光を検出したことをリンク制御部４６に通知する。リンク制御部４６は、第２の光受信部４１ｅから光を検出したことが通知されると、制御系データ用の第２の光送信部４２に対して定常的な発光を指示する。第２の光送信部４２は、定常的に発光する光信号を第１の送受信装置２に送信する。
【００５３】
第１の送受信装置２の第１の光受信部２２が光を検出すると、光を検出したことをリンク制御部２６に通知する。リンク制御部２６は、シリアル化／逆シリアル化（ＳｅｒＤｅｓ：Serialize Deserialize）リンク確立用データの出力を制御系データ用の第１のパラシリ変換部２７ｅに指示する。第１のパラシリ変換部２７ｅはＳｅｒＤｅｓリンク確立用データを出力し、第１の光送信部２１ｅは、光信号を第２の送受信装置４に送信する。
【００５４】
第２の送受信装置４のシリパラ変換部４４ｅがＳｅｒＤｅｓリンク確立用データを受信することで、ＳｅｒＤｅｓ（ＤＳ）のリンクが確立したことになる。シリパラ変換部４４ｅは、ＳｅｒＤｅｓ（ＤＳ）のリンクが確立したことをリンク制御部４６に通知する。リンク制御部４６は、ＳｅｒＤｅｓリンク確立用データの出力を制御系データ用のパラシリ変換部４５に指示する。パラシリ変換部４５は、ＳｅｒＤｅｓリンク確立用データを出力し、第２の光送信部４２は、光信号を第１の送受信装置２に送信する。
【００５５】
第１の送受信装置２のシリパラ変換部２８が第２の送受信装置４からＳｅｒＤｅｓリンク確立用データを受信すると、ＳｅｒＤｅｓ（ＵＳ）のリンクが確立したことになる。シリパラ変換部２８は、ＳｅｒＤｅｓ（ＵＳ）のリンクが確立したことをリンク制御部２６に通知する。リンク制御部２６は、ＳｅｒＤｅｓ（ＵＳ）のリンクが確立したことを示すデータの出力を制御系データ用のパラシリ変換部２７ｅに指示する。パラシリ変換部２７ｅは、ＳｅｒＤｅｓ（ＵＳ）のリンクが確立したことを示すデータを出力し、第１の光送信部２１ｅは、光信号を第２の送受信装置４に送信する。
【００５６】
第２の送受信装置４のシリパラ変換部４４ｅがＳｅｒＤｅｓ（ＵＳ）のリンクが確立したことを示すデータを受信すると、ＳｅｒＤｅｓ（ＵＳ）のリンクが確立したことをリンク制御部４６に通知する。
【００５７】
一定時間経過後に第１及び第２の送受信装置２、４間はリンク状態になる。
【００５８】
（映像系データのフロー）
図７は、第２の実施の形態に係る第１及び第２の送受信装置間における映像系データのリンク確立に関するフローを示す図である。
【００５９】
第１の送受信装置２の電源が投入されると、リンク制御部２６は、映像系データのＤＳ方向に対して定常的な発光を指示する。映像系データ用の第１の光送信部２１ａ〜２１ｄは、定常的に発光する光信号を第２の送受信装置４に送信する。
【００６０】
第２の送受信装置４の電源が投入され、第２の光受信部４１ａ〜４１ｄが光を検出すると、光を検出したことをリンク制御部４６に通知する。リンク制御部４６は、第２の光受信部４１ａ〜４１ｄのすべてから光を検出したことの通知を受けると、制御系データ用のパラシリ変換部４５に対して映像系の全チャンネルで光を検出したことを示すデータを出力するように指示する。パラシリ変換部４５は、映像系の全チャンネルで光を検出したことを示すデータを出力し、第２の光送信部４２は光信号を第１の送受信装置２に送信する。
【００６１】
第１の送受信装置２のシリパラ変換部２８が第２の送受信装置４から映像系の全チャンネルで光を検出したことを示すデータを受信すると、映像系の全チャンネルで光を検出したことをリンク制御部２６に通知する。
【００６２】
一定時間経過後に第１及び第２の送受信装置２、４間はリンク状態になる。
【００６３】
（第２の実施の形態の効果）
第２の実施の形態によれば、第１の送受信装置２の複数の第１の光送信部２１ａ〜２１ｅのうち一部の第１の光送信部２１ｅから光信号を送信することで、光伝送媒体３の接続の有無に関係なくすべての第１の光送信部２１ａ〜２１ｅから光信号を送信する場合と比べて消費電力が抑制される。
【００６４】
［第３の実施の形態］
次に、本発明の第３の実施の形態に係る光送受信システムについて説明する。本実施の形態は、第２の実施の形態とは、リンク制御部２６、４６による制御方法が異なり、他は第２の実施の形態と同様に構成されている。本実施の形態の光送受信システムは、第２の実施の形態と同様に構成されているため、図示を省略する。本実施の形態は、光信号が高出力の場合にも適したものである。
【００６５】
（制御系データのフロー）
図８は、本発明の第３の実施の形態に係る第１及び第２の送受信装置間における制御系データのフローを示す図である。なお、図８中、（Ａ）、（Ｂ）、（Ｃ）は、それぞれ異なるデータを意味している。本実施の形態では、８Ｂ１０ＢのＫキャラクターを変えている。（Ａ）はＫ２８．５、（Ｂ）はＫ２８．６、（Ｃ）はＫ２８．０である。図９の（Ａ）も図８と同様である。
【００６６】
第１の送受信装置２の電源が投入されると、リンク制御部２６は、制御系データのＤＳ方向に対して間欠的な発光を指示する。制御系データ用の第１の光送信部２１ｅは、間欠的に発光する光信号を第２の送受信装置４に送信する。
【００６７】
第２の送受信装置４の電源が投入され、第２の光受信部４１ｅが光を検出すると、光を検出したことをリンク制御部４６に通知する。リンク制御部４６は、第２の光受信部４１ｅから光を検出したことの通知を受けると、制御系データ用の第２の光送信部４２に対して間欠的な発光を指示する。第２の光送信部４２は、間欠的に発光する光信号を第１の送受信装置２に送信する。
【００６８】
第１の送受信装置２の第１の光受信部２２が第２の送受信装置４からの光を検出すると、光を検出したことをリンク制御部２６に通知する。リンク制御部２６は、定常的な発光を制御系データ用の第１の光送信部２１ｅに指示する。第１の光送信部２１ｅは、定常的に発光する光信号を第２の送受信装置４に送信する。
【００６９】
第２の送受信装置４の第２の光受信部４１ｅが光を予め定められた時間検出すると、第２の光受信部４１ｅは、予め定められた時間光を検出したことをリンク制御部４６に通知する。リンク制御部４６は、定常的な発光を第２の光送信部４２に指示する。第２の光送信部４２は、定常的に発光する光信号を第１の送受信装置２に送信する。
【００７０】
第１の送受信装置２の第１の光受信部２２が第２の送受信装置４からの光を予め定められた時間検出すると、第１の光受信部２２は、予め定められた時間光を検出したことをリンク制御部２６に通知する。リンク制御部２６は、ＳｅｒＤｅｓリンク確立用データの出力を制御系データ用のパラシリ変換部２７ｅに指示する。パラシリ変換部２７ｅは、ＳｅｒＤｅｓリンク確立用データを出力し、第１の光送信部２１ｅは、光信号を第２の送受信装置４に送信する。
【００７１】
第２の送受信装置４のシリパラ変換部４４ｅが第２の送受信装置４からＳｅｒＤｅｓリンク確立用データを検出すると、ＳｅｒＤｅｓ（ＤＳ）のリンクが確立したことになる。第２の送受信装置４のシリパラ変換部４４ｅは、ＳｅｒＤｅｓ（ＤＳ）のリンクが確立したことをリンク制御部４６に通知する。リンク制御部４６は、ＳｅｒＤｅｓリンク確立用データの出力を制御系データ用のパラシリ変換部４５に指示する。パラシリ変換部４５は、ＳｅｒＤｅｓリンク確立用データを出力し、第２の光送信部４２は、光信号を第１の送受信装置２に送信する。
【００７２】
第１の送受信装置２のシリパラ変換部２８が第２の送受信装置４からＳｅｒＤｅｓリンク確立用データを検出すると、ＳｅｒＤｅｓ（ＵＳ）のリンクが確立したことになる。シリパラ変換部２８は、ＳｅｒＤｅｓ（ＵＳ）のリンクが確立したことをリンク制御部２６に通知する。リンク制御部２６は、ＳｅｒＤｅｓ（ＵＳ）のリンクが確立したことを示すデータの出力を制御系データ用のパラシリ変換部２７ｅに指示する。パラシリ変換部２７ｅは、ＳｅｒＤｅｓ（ＵＳ）のリンクが確立したことを示すデータを出力し、第１の光送信部２１ｅは、光信号を第２の送受信装置４に送信する。
【００７３】
第２の送受信装置４のシリパラ変換部４４ｅがＳｅｒＤｅｓ（ＵＳ）のリンクが確立したことを示す光を検出すると、ＳｅｒＤｅｓ（ＵＳ）のリンクが確立したことをリンク制御部４６に通知する。
【００７４】
一定時間経過後に第１及び第２の送受信装置２、４間はリンク状態になる。
【００７５】
（映像系データのフロー）
図９は、本発明の第３の実施の形態に係る第１及び第２の送受信装置間における映像系データのリンク確立に関するフローを示す図である。
【００７６】
第１の送受信装置２の電源が投入されると、リンク制御部２６は、映像系データのＤＳ方向に対して間欠的な発光を指示する。映像系データ用の第１の光送信部２１ａ〜２１ｄは、間欠的に発光する光信号を第２の送受信装置４に送信する。
【００７７】
第２の送受信装置４の電源が投入され、第２の光受信部４１ａ〜４１ｄが光を検出すると、光を検出したことをリンク制御部４６に通知する。リンク制御部４６は、第２の光受信部４１ａ〜４１ｄのすべてから光を検出したことの通知を受けると、制御系データ用のパラシリ変換部４５に対して映像系の全チャンネルで光を検出したことを示すデータを出力するように指示する。パラシリ変換部４５は、映像系の全チャンネルで光を検出したことを示すデータを出力し、第２の光送信部４２は光信号を第１の送受信装置２に送信する。
【００７８】
第１の送受信装置２のシリパラ変換部２８が第２の送受信装置４からの映像系の全チャンネルで光を検出したことを示すデータを検出すると、映像系の全チャンネルで光を検出したことをリンク制御部２６に通知する。
【００７９】
リンク制御部２６は、第１の光送信部２１ａ〜２１ｄ（映像系データのＤＳ方向）に対して定常的な発光を指示する。映像系データ用の第１の光送信部２１ａ〜２１ｄは、定常的に発光する光信号を第２の送受信装置４に送信する。
【００８０】
第２の送受信装置４の第２の光受信部４１ａ〜４１ｄすべてにおいて一定時間光を検出すると、光を検出したことをリンク制御部４６に通知する。
【００８１】
一定時間経過後に第１及び第２の送受信装置２、４間はリンク状態になる。
【００８２】
（第３の実施の形態の効果）
第３の実施の形態によれば、以下の効果を奏する。
（１）第１の送受信装置２の複数の第１の光送信部２１ａ〜２１ｅのうち一部の第１の光送信部２１ｅから光信号を送信することで、光伝送媒体３の接続の有無に関係なくすべての第１の光送信部２１ａ〜２１ｅから光信号を送信する場合と比べて消費電力が抑制される。
（２）第１の送受信装置２から間欠的に発光する光信号を送信し、第２の送受信装置４からそれに対する応答があってはじめて連続的に発光する光信号を送信することで、光伝送媒体３の接続の有無に関係なく高出力のレーザを連続的に出力する場合と比べて安全性が高まる。
【００８３】
［第４の実施の形態］
図１０は、本発明の第４の実施の形態に係る光送受信システムの構成を示すブロック図である。本実施の形態は、第２の実施の形態とは、映像系データに関するパラシリ変換部２７ａ〜２７ｄ及びシリパラ変換部４４ａ〜４４ｄを省いたものであり、他は第２の実施の形態と同様に構成されている。なお、第１の送受信装置２には、再生装置５から受信した映像系データを一時保持するバッファ（図示省略）を備え、第２の送受信装置４には、映像表示装置６に送信する映像系データを一時保持するバッファ（図示省略）を備えている。
【００８４】
この構成においても、映像系データに介してはシリアル／パラレル変換及びパラレル／シリアル変換を行わずに、再生装置５から第１の送受信装置２、第１の送受信装置２から第２の送受信装置４、第２の送受信装置４から映像表示装置６にシリアルデータのまま伝送する点を除き、第２及び第３の実施の形態と同様の作用、効果を奏する。
【００８５】
以上、本発明の実施の形態を説明したが、本発明は上記の実施の形態に限定されるものではなく、本発明の要旨を変更しない範囲内で種々の変形、実施が可能である。例えば本発明の要旨を変更しない範囲内で、各実施の形態の構成要素を任意に組み合わせることが可能であり、各実施の形態のフローにおいて、ステップの追加、削除、変更、入替え等が可能である。
【符号の説明】
【００８６】
１…光送受信システム、２…第１の送受信装置、３…光伝送媒体、４…第２の送受信装置、５…再生装置、６…映像表示装置、２１ａ〜２１ｅ…第１の光送信部、２２…第１の光受信部、２３…第１の制御部、２４…データ入出力制御部、２５…パケット制御部、２６…リンク制御部、２７ａ〜２７ｅ…パラシリ変換部、２８…シリパラ変換部、４１ａ〜４１ｅ…第２の光受信部、４２…光送信部、４３…第２の制御部、４４ａ〜４４ｅ…シリパラ変換部、４５…パラシリ変換部、４６…リンク制御部、４７…パケット制御部、４８…データ入出力制御部、２１０…発光部、２１１…駆動部、２２０…受光部、２２１…増幅部、４１０…受光部、４１１…増幅部、４２０…発光部、４２１…増幅部
【図１】
0005884370.tif 000002
【図２】
0005884370.tif 000003
【図３】
0005884370.tif 000004
【図４】
0005884370.tif 000005
【図５】
0005884370.tif 000006
【図６】
0005884370.tif 000007
【図７】
0005884370.tif 000008
【図８】
0005884370.tif 000009
【図９】
0005884370.tif 000010
【図１０】
0005884370.tif 000011